(57)【特許請求の範囲】
【請求項１】
踏み板部材を支持する支持部材であって、
第１支持部材を含み、
前記第１支持部材は、
第１方向に延びる第１支持部と、
前記第１支持部と一体に設けられ、前記第１方向と交差する方向に延びる少なくとも２つの第２支持部と、を有し、
前記第１支持部には、前記踏み板部材を支持する面側に少なくとも１つの凹部が設けられ、
前記第１方向において、前記２つの第２支持部は、前記第１支持部の端部以外の部分で前記第１支持部と一体に設けられている
ことを特徴とする踏み板部材を支持する支持部材。
【請求項２】
踏み板部材を支持する支持部材であって、
第１支持部材と第２支持部材とを含み、
前記第１支持部材は、
第１方向に延びる第１支持部と、
前記第１支持部と一体に設けられ、前記第１方向と交差する方向に延びる第２支持部と、を有し、
前記第２支持部材は、
前記第１方向に延びる第１支持部と、
前記第１支持部と一体に設けられ、前記第１方向と交差する方向に突出する連結部と、を有し、
前記第１支持部材の前記第２支持部の端部と前記第２支持部材の前記連結部とが連結され、
前記第１支持部材及び前記第２支持部材の少なくともいずれかの前記第１支持部には、前記踏み板部材を支持する面側に少なくとも１つの凹部が設けられている
ことを特徴とする踏み板部材を支持する支持部材。
【請求項３】
踏み板部材を支持する支持部材であって、
第１支持部材、第２支持部材及び第３支持部材を含み、
前記第１支持部材は、
第１方向に延びる第１支持部と、
前記第１支持部と一体に設けられ、前記第１方向と交差する方向に延びる第２支持部と、を有し、
前記第２支持部材は、
前記第１方向に延びる第１支持部と、
前記第１支持部と一体に設けられ、前記第１方向と交差する方向にそれぞれ突出する２つの連結部と、を有し、
前記第３支持部材は、
前記第１方向に延びる第１支持部と、
前記第１支持部と一体に設けられ、前記第１方向と交差する方向に延びる第２支持部と、
前記第１支持部と一体に設けられ、前記第１方向と交差する方向において、前記第２支持部と反対方向に突出する連結部と、を有し、
前記第１支持部材の前記第２支持部の端部と前記第２支持部材の一方の前記連結部とが連結され、
前記２支持部材の他方の前記連結部と前記第３支持部材の前記第１支持部の端部とが連結され、
前記第１支持部材及び前記第３支持部材の少なくともいずれかには、前記踏み板部材を支持する面側に少なくとも１つの凹部が設けられている
ことを特徴とする踏み板部材を支持する支持部材。
【請求項４】
２つの前記第１支持部材の間に、前記第２支持部材及び前記第３支持部材が配置され、
一方の前記第１支持部材は前記第２支持部材の前記連結部と連結され、他方の前記第１支持部材は前記第３支持部材の前記連結部と連結されている
ことを特徴とする請求項３に記載の踏み板部材を支持する支持部材。
【請求項５】
請求項１ないし４のいずれかに記載の複数の踏み板部材を支持する支持部材が前記第１方向に連結されて設置され、
前記設置された前記踏み板部材を支持する支持部材で踏み板部材が支持されている
ことを特徴とする通路。
【請求項６】
手摺を備え、
前記踏み板部材と前記踏み板部材を支持する支持部材の前記凹部との間には、前記手摺の支柱を保持する保持部材が配置され、
前記保持部材の一端部側は前記踏み板部材に固定され、
前記保持部材の他端部側で前記支柱を保持している
ことを特徴とする請求項５に記載の通路。
【請求項７】
請求項１ないし４のいずれかに記載の複数の踏み板部材を支持する支持部材が前記第１方向に連結されて設置され、
前記設置された前記踏み板部材を支持する支持部材で前記踏み板部材が支持されている
ことを特徴とする踊り場。
【請求項８】
手摺を備え、
前記踏み板部材と前記踏み板部材を支持する支持部材の前記凹部との間には、前記手摺の支柱を保持する保持部材が配置され、
前記保持部材の一端部側は、前記踏み板部材に固定され、
前記保持部材の他端部側で前記支柱を保持している
ことを特徴とする請求項７に記載の踊り場。
【請求項９】
請求項１ないし４のいずれかに記載の踏み板部材を支持する支持部材を地面に設置する工程と、
前記踏み板部材を支持する支持部材を前記第１方向に連結する工程と、
手摺の支柱を保持する保持部材の一端部側を前記踏み板部材に固定する工程と、
設置された前記踏み板部材を支持する支持部材上に、前記保持部材を前記凹部に対応させて、前記踏み板部材を取り付ける工程と、
前記保持部材の他端部側で前記支柱を保持する工程と、
前記手摺の支柱を、前記踏み板部材を支持する支持部材の前記第１支持部に保持する工程と、を行う
ことを特徴とする通路の設置方法。
【請求項１０】
請求項１ないし４のいずれかに記載の踏み板部材を支持する支持部材を地面に設置する工程と、
前記踏み板部材を支持する支持部材を前記第１方向に連結する工程と、
手摺の支柱を保持する保持部材の一端部側を前記踏み板部材に固定する工程と、
設置された前記踏み板部材を支持する支持部材上に、前記保持部材を前記凹部に対応させて、前記踏み板部材を取り付ける工程と、
前記保持部材の他端部側で前記支柱を保持する工程と、
前記手摺の支柱を、前記踏み板部材を支持する支持部材の前記第１支持部に保持する工程と、を行う
ことを特徴とする踊り場の設置方法。
【発明の詳細な説明】
【技術分野】
【０００１】
本発明は踏み板部材を支持する支持部材、通路、踊り場、通路の設置方法、踊り場の設置方法に関する。
【背景技術】
【０００２】
高速道路の法面には点検用、あるいは、非常用の階段や通路が設置され、あるいは、山間部における設備の建設、巡回などを行うために通路が設置されることがある。また、階段や通路などの途中には踊り場が設けられることがある。
【０００３】
従来、踏板部を有する複数のステップと、各ステップを連結する支持部材と、各ステップを斜面に固定する棒材とを備える法面設置用階段が知られている（特許文献１）。
【先行技術文献】
【特許文献】
【０００４】
【特許文献１】特開２００２−２０１４６号公報
【発明の概要】
【発明が解決しようとする課題】
【０００５】
ところで、法面や傾斜面などに通路や踊り場を設置する場合、長さや幅が一律ではなく、設置作業性の向上を図ることが求められる。
【０００６】
本発明は上記の課題に鑑みてなされたものであり、通路や踊り場の設置作業性を向上することを目的とする。
【課題を解決するための手段】
【０００７】
上記の課題を解決するため、本発明に係る踏板を支持する支持部材は、
踏み板部材を支持する支持部材であって、
第１支持部材を含み、
前記第１支持部材は、
第１方向に延びる第１支持部と、
前記第１支持部と一体に設けられ、前記第１方向と交差する方向に延びる少なくとも２つの第２支持部と、を有し、
前記第１支持部には、前記踏み板部材を支持する面側に少なくとも１つの凹部が設けられ、
前記第１方向において、前記２つの第２支持部は、前記第１支持部の端部以外の部分で前記第１支持部と一体に設けられている
構成とした。
【０００８】
本発明によれば、通路や踊り場の設置作業性を向上することができる。
【図面の簡単な説明】
【０００９】
【図１】本発明の第１実施形態に係る通路の側面説明図である。
【図２】同じく平面説明図である。
【図３】同じく正面説明図である。
【図４】同実施形態における第１支持部材の説明図である。
【図５】同じく２つの第１支持部材を連結した状態の斜視説明図である。
【図６】本発明の第２実施形態に係る通路の側面説明図である。
【図７】同じく平面説明図である。
【図８】同じく正面説明図である。
【図９】同実施形態における第２支持部材の説明図である。
【図１０】本発明の第３実施形態に係る通路の平面説明図である。
【図１１】同実施形態における第３支持部材の説明図である。
【図１２】本発明の第４実施形態に係る通路の側面説明図である。
【図１３】同じく平面説明図である。
【図１４】同じく正面説明図である。
【図１５】同実施形態における支柱の保持手段の説明に供する正面説明図である。
【図１６】同じく第１保持手段部分の平面説明図である。
【図１７】同じく第２保持手段部分の平面説明図である。
【図１８】本発明の第５実施形態に係る通路の平面説明図である。
【図１９】本発明の第６実施形態に係る通路の平面説明図である。
【図２０】本発明の第７実施形態に係る通路の平面説明図である。
【図２１】本発明に係る通路の設置方法の説明に供する側面説明図である。
【図２２】同じく平面説明図である。
【発明を実施するための形態】
【００１０】
以下、本発明の実施の形態について添付図面を参照して説明する。本発明の第１実施形態について図１ないし図５を参照して説明する。図１は同実施形態に係る通路の側面説明図、図２は同じく平面説明図、図３は同じく正面説明図である。図４は同実施形態における第１支持部材の説明図であり、（ａ）は平面説明図、（ｂ）は正面説明図、（ｃ）は側面説明図である。図５は同じく２つの第１支持部材を連結した状態の斜視説明図である。なお、図１及び図２では２つの支持部材を連結した状態で示している。また、図２では踏み板部材２は透過状態で示している。
【００１１】
通路１００は、踏み板部材２と、踏み板部材を支持する支持部材１を備えている。
【００１２】
支持部材１は、第１支持部材１０で構成されている。
【００１３】
第１支持部材１０は、第１方向Ｙに延びる第１支持部１１と、第１支持部１１と一体に設けられ、第１方向と交差する（本実施形態では直交する）方向Ｘに延びる２つの第２支持部１２、１２とを有している。なお、第１支持部材１０の第２支持部１２は、１つ又は３つ以上とすることもできる。
【００１４】
第１支持部１１には、踏み板部材２を支持する支持面１０ａ側に少なくとも１つ、本実施形態では４つの凹部１３が設けられている。また、第１支持部１１には、踏み板部材２を支持する面１０ａとは反対側（天地逆にしたときには支持面となる。）の面１０ｂ側にも、少なくとも１つ、本実施形態では４つの凹部１４が設けられている。
【００１５】
第１支持部材１０は、第１の方向Ｙにおいて他の第１支持部材１０と相互に連結することができる。本実施形態では、２つの第１支持部材１０、１０は、例えば、連結板１５をねじ或いはボルト・ナットなどの締結部材１６で固定することによって連結している。
【００１６】
このように構成したので、通路設置面に、支持部材１としての第１支持部材１０を設置する。このとき、支持部材１としての第１支持部材１０を第１方向Ｙに相互に連結することで、所要の長さの通路１００を得る（設置する）ことができる。
【００１７】
そして、第１支持部材１０上に所要数の踏み板部材２を載せ置き、踏み板部材２を第１支持部材１０にコーススレッドなどの締結部材１７を使用して固定して取付け、通路１００を設置する。踏み板部材２は、第２方向Ｘでは、２分割して２枚としているが、１枚であっても、３枚以上であってもよい。
【００１８】
なお、第１支持部材１０の第１方向Ｙへの連結、第１支持部材１０と踏み板部材２の取付けの順序は制限されものではない。例えば、第１支持部材１０に踏み板部材２を取り付けながら第１支持部材１０を第１方向Ｙに連結したり、先に第１支持部材１０を第１方向Ｙに連結した後、踏み板部材２を取り付けたりすることができる。
【００１９】
これにより、支持部材１（第１支持部材１０）の連結の数を増加することで、通路２の長さ（距離）を簡単に長くすることができ、通路の設置作業を容易に行うことができ、設置作業性が向上する。
【００２０】
次に、本発明の第２実施形態について図６ないし図９を参照して説明する。図６は同実施形態に係る通路の側面説明図、図７は同じく平面説明図、図８は同じく正面説明図である。図９は同実施形態における第２支持部材の説明図であり、（ａ）は平面説明図、（ｂ）は正面説明図、（ｃ）は側面説明図である。なお、図６及び図７では２つの支持部材を連結した状態で示している。また、図７では踏み板部材２は透過状態で示している。
【００２１】
本実施形態では、支持部材１は、第１支持部材１０と第２支持部材２０とを有している。
【００２２】
第１支持部材１０は、前記第１実施形態と同様である。
【００２３】
第２支持部材２０は、第１方向Ｙに延びる第１支持部２１と、第１支持部２１と一体に設けられ、第１方向と交差する（本実施形態では直交する）方向Ｘに突出する連結部２２ａと、連結部２２ａとは反対側に突出する連結部２２ｂとを有する。連結部２２ａ、２２ｂは、第１方向Ｙにおいて、それぞれ２つ設けられている。なお、第２支持部材２０の連結部２２ａ、２２ｂは、第１方向Ｙにおいて、１つ又は３つ以上とすることもできる。
【００２４】
また、第２支持部材２０には、踏み板部材２を支持する支持面２０ａ側に少なくとも１つ、本実施形態では４つの凹部２３が設けられている。また、第１支持部２１には、踏み板部材２を支持する面２０ａとは反対側（天地逆で支持面となる）の面２０ｂ側にも、少なくとも１つ、本実施形態では４つの凹部２４が設けられている。
【００２５】
そして、第１支持部材１０と第２支持部材２０とは、第１支持部材１０の第２支持部１２の端部と第２支持部材２０の連結部２２ａとが連結されている。第１支持部材１０の第２支持部１２の端部と第２支持部材２０の連結部２２ａとは、例えば、ねじ、あるいは、ボルト・ナットなどの締結部材２５によって固定して連結している。
【００２６】
このように構成したので、通路設置面に、第１支持部材１０と第２支持部材２０とを連結した支持部材１を設置する。
【００２７】
そして、支持部材１の第１支持部材１０の支持面１０ａ、第２支持部材２０の支持面２０ａ上に所要数の踏み板部材２を載せ置き、踏み板部材２を第１支持部材１０、第２支持部材２０に、コーススレッドなどの締結部材１７を使用して固定して取付ける。
【００２８】
なお、第１支持部材１０と第２支持部材２０と連結した状態の枠体（ユニット）である支持部材１の第１方向Ｙへの連結と踏み板部材２の取り付け順序は制限されものではない。
【００２９】
これにより、支持部材１（第１支持部材１０と第２支持部材２０のユニット）の連結の数を増加することで、通路２の長さ（距離）を簡単に長くすることができ、通路の設置作業を容易に行うことができ、設置作業性が向上する。また、第１支持部材１０と第２支持部材２０とで枠体が構成されるので、第１実施形態よりも強度が高くなる。
【００３０】
次に、本発明の第３実施形態について図１０及び図１１を参照して説明する。図１０は同実施形態に係る通路の平面説明図、図１１は同実施形態における第３支持部材の説明図であり、（ａ）は平面説明図、（ｂ）は正面説明図、（ｃ）は側面説明図である。
【００３１】
本実施形態では、支持部材１は、２つの第１支持部材１０と、第２支持部材２０と、第３支持部材１０とを有している。
【００３２】
第１支持部材１０は、前記第１実施形態と同様である。第２支持部材２０は、前記第２実施形態と同様である。
【００３３】
第３支持部材１０は、第１方向Ｙに延びる第１支持部３１と、第１支持部３１と一体に設けられ、第１方向Ｙと交差する（本実施形態では直交する）方向Ｘに延びる第２支持部３２と、第２支持部３２とは反対方向に突出する連結部３３とを有している。第２支持部３２及び連結部３３は、第１方向Ｙにおいて、それぞれ２つ設けられている。なお、第２支持部３２、連結部３３は、第１方向Ｙにおいて、１つ又は３つ以上とすることもできる。
【００３４】
また、第３支持部材１０には、踏み板部材２を支持する支持面３０ａ側に少なくとも１つ、本実施形態では４つの凹部３４が設けられている。また、第１支持部３１には、踏み板部材２を支持する支持面３０ａとは反対側（天地逆で支持面となる）の面３０ｂ側にも、少なくとも１つ、本実施形態では４つの凹部３５が設けられている。
【００３５】
そして、一方の第１支持部材１０と第２支持部材２０とは、第１支持部材１０の第２支持部１２の端部と第２支持部材２０の連結部２２ａとが連結されている。第２支持部材２０の第２支持部１２の端部と第２支持部材２０の連結部２２ａとは、例えば、ねじ、ボルト・ナットなどの締結部材２５によって固定して連結している。
【００３６】
また、第２支持部材２０と第３支持部材１０とは、第２支持部材２０の連結部２２ｂと第３支持部材１０の第２支持部３２の端部とが連結されている。第３支持部材１０の第２支持部３２の端部と第２支持部材２０の連結部２２ｂとは、例えば、ねじ、ボルト・ナットなどの締結部材３５によって固定して連結している。
【００３７】
さらに、第３支持部材１０と他方の第１支持部材１０とは、第１支持部材１０の第２支持部１２の端部と第３支持部材１０の連結部３３とが連結されている。第１支持部材１０の第２支持部１２の端部と第３支持部材１０の連結部３３とは、例えば、ねじ、ボルト・ナットなどの締結部材３６によって固定して連結している。
【００３８】
なお、本実施形態では、第２方向Ｘにおいて、両側はそれぞれ第１支持部材１０、１０を配置しているが、第１支持部材１０、だい２支持部材２０、第３支持部材１０の順に連結して、一方は第１支持部材１０、他方は第３支持部材１０を配置する構成とすることもできる。
【００３９】
このように構成したので、通路設置面に、第１支持部材１０、第２支持部材２０及び第３支持部材１０を連結した支持部材１を設置する。
【００４０】
そして、支持部材１の第１支持部材１０の支持面１０ａ、第２支持部材２０の支持面２０ａ、第３支持部材１０の支持面３０ａ上に所要数の踏み板部材２を載せ置き、踏み板部材２を第１支持部材１０、第２支持部材２０、第３支持部材１０に、コーススレッドなどの締結部材１７を使用して固定する。
【００４１】
なお、第１支持部材１０、第２支持部材２０及び第３支持部材１０の枠体（ユニット）である支持部材１の第１方向Ｙへの連結と踏み板部材２の取り付けの順序は制限されものではない。
【００４２】
これにより、支持部材１（第１支持部材１０と第２支持部材２０と第３支持部材１０のユニット）の連結の数を増加することで、通路２の長さ（距離）を簡単に長くすることができ、通路の設置作業を容易に行うことができ、設置作業性が向上する。また、第１支持部材１０、第２支持部材２０及び第３支持部材１０で枠体が構成されるので、第１実施形態よりも強度が高くなる。さらに、第３支持部材１０を有することで、第３支持部材１０を第２方向Ｘにつなぎ合わせていくことで、通路１００の第２方向Ｘの幅を容易に広くすることができる。
【００４３】
次に、本発明の第４実施形態について図１２ないし図１７を参照して説明する。図１２は同実施形態に係る通路の側面説明図、図１３は同じく平面説明図、図１４は同じく正面説明図である。図１５は同実施形態における支柱の保持手段の説明に供する正面説明図、図１６は同じく第１保持手段部分の平面説明図、図１７は同じく第２保持手段部分の平面説明図である。
【００４４】
本実施形態では、前記第２実施形態の通路１００において、第１支持部材１０の第１支持部１１に沿って手摺５を備えている。
【００４５】
手摺５は、手摺ビーム５１と、手摺ビーム５１の両端部を保持する２つの支柱５２、５２とを備えている。
【００４６】
支柱５２は、第１保持手段６１によって踏み板部材２に固定保持されるとともに、第２保持手段６２によって第１支持部材１０の第１支持部１１の外側面に固定保持されている。
【００４７】
ここで、第１保持手段６１は、図１５及び図１６にも示すように、踏み板部材２に一端部を固定する板状の保持部材６２ａと、支柱５２を挟持するためのほぼ半円状のバンド金具６１ｂ、６１ｃとを含む。
【００４８】
保持部材６２ａは、第１支持部材１０の第１支持部１１に設けた凹部１３と踏み板部材２との間に配置され、一端部が踏み板部材２の底面側（下面側）にボルト・ナットなどの締結部材６５で固定されている。
【００４９】
保持部材６２ａの他端部には上記バンド金具６１ｂが一体に設けられている。なお、バンド金具６１ｂなどの支柱５２の下端部を保持する保持部材は、固定部材６１ｂと別体で、固定部材６１ｂに締結部材などで連結される構成であってもよい。
【００５０】
そして、バンド金具６１ｂとバンド金具６１ｃとで支柱５２を挟み持ってボルト・ナットなどの締結部材６６でバンド金具６１ｂ、６１ｃを締め付けることで、支柱５２の下端部が第１保持手段６１の保持部材６１ａを介して踏み板部材２に固定されている。
【００５１】
第２保持手段６２は、図１５及び図１７にも示すように、第１支持部材１０の第１支持部１１にボルト・ナットなどの締結部材６７で固定した保持部材６２ａと、支柱５２の下端部に固定したブラケット６２ｂとを備えている。
【００５２】
そして、保持部材６２ａとブラケット６２ｂとをボルト・ナットなどの締結部材６８で締結することで、支柱５２の下端部が第２保持手段６２での第１支持部材１０の第１支持部１１の側面に固定保持されている。
【００５３】
このように、本実施形態において、第１支持部材１０に設けた凹部１３は、手摺５の支柱５２を踏み板部材２に固定するための保持部材６１ａが通る空間を踏み板部材２との間に形成している。
【００５４】
これにより、容易に手摺５の支柱５２を踏み板部材２に固定保持することができる。
【００５５】
なお、第２保持手段６２は、支柱５２の下端部を第１支持部１１の側面にボルト・ナットなどの締結部材で固定する手段であってよい。
【００５６】
次に、本発明の第５実施形態について図１８を参照して説明する。図１８は同実施形態に係る通路の平面説明図である。
【００５７】
本実施形態では、支持部材１は、２つの第１支持部材１０と１つの第２支持部材２０とを連結して構成している。
【００５８】
つまり、第２支持部材２０の一方の連結部２２ａと一方の第１支持部材１０の第２支持部１２とをボルト・ナットなどの締結部材２５で締結して連結し、第２支持部材２０の他方の連結部２２ｂと他方の第１支持部材１０の第２支持部１２とをボルト・ナットなどの締結部材２５で締結して連結している。
【００５９】
そして、両側の第１支持部材１０，１０の第１支持部１１の外側には、手摺５、５を備えている。手摺５の支柱５２の踏み板部材２への保持及び第１支持部材１０の第１支持部１１の側面への保持は、前記第４実施形態と同様である。
【００６０】
なお、本実施形態の通路１００は、手摺５を備えない構成とすることもできる。
【００６１】
次に、本発明の第６実施形態について図１９を参照して説明する。図１９は同実施形態に係る通路の平面説明図である。
【００６２】
本実施形態では、前記第３実施形態の通路１００の構成において、両側の第１支持部材１０，１０の第１支持部１１の外側には、手摺５、５を備えている。手摺５の支柱５２の踏み板部材２への保持及び第１支持部材１０の第１支持部１１の側面への保持は、前記第４実施形態と同様である。
【００６３】
次に、本発明の第７実施形態について図２０を参照して説明する。図２０は同実施形態に係る通路の平面説明図である。
【００６４】
本実施形態では、支持部材１は、２つの第１支持部材１０と、第２支持部材２０と、２つの第３支持部材１０とを有している。
【００６５】
第１支持部材１０は、前記第１実施形態と同様である。第２支持部材２０は、前記第２実施形態と同様である。第３支持部材１０は、前記第３実施形態と同様である。
【００６６】
そして、一方の第１支持部材１０と第２支持部材２０とは、第１支持部材１０の第２支持部１２の端部と第２支持部材２０の連結部２２ａとが連結されている。第２支持部材２０の第２支持部１２の端部と第２支持部材２０の連結部２２ａとは、例えば、ねじ、ボルト・ナットなどの締結部材２５によって固定して連結している。
【００６７】
また、第２支持部材２０と一方の第３支持部材１０とは、第２支持部材２０の連結部２２ｂと第３支持部材１０の第２支持部３２の端部とが連結されている。第３支持部材１０の第２支持部３２の端部と第２支持部材２０の連結部２２ｂとは、例えば、ねじ、ボルト・ナットなどの締結部材３６によって固定して連結している。
【００６８】
また、一方の第３支持部材１０と他方の第３支持部材１０とは、一方の第３支持部材１０の連結部３３と他方の第３支持部材１０の第２支持部３２の端部とが連結されている。他方の第３支持部材１０の第２支持部３２の端部と一方の第３支持部材１０の連結部３３とは、例えば、ねじ、ボルト・ナットなどの締結部材３６によって固定して連結している。
【００６９】
さらに、他方の第３支持部材１０と他方の第１支持部材１０とは、第１支持部材１０の第２支持部１２の端部と第３支持部材１０の連結部３３とが連結されている。第１支持部材１０の第２支持部１２の端部と第３支持部材１０の連結部３３とは、例えば、ねじ、ボルト・ナットなどの締結部材３６によって固定して連結している。
【００７０】
そして、両側の第１支持部材１０，１０の第１支持部１１の外側には、手摺５、５を備えている。手摺５の支柱５２の踏み板部材２への保持及び第１支持部材１０の第１支持部１１の側面への保持は、前記第４実施形態と同様である。
【００７１】
なお、本実施形態の通路１００は、手摺５を備えない構成とすることもできる。
そして、両側の第１支持部材１０，１０の外側には、手摺部材５０、５０を備えている。手摺部材５０の支柱５２の踏み板部材２への取付け及び第１支持部材１０への取付けは、前記第４実施形態と同様である。
【００７２】
このように、第１支持部材１０、第２支持部材２０及び第３支持部材１０を組み合わせることで、長さ及び幅を容易に変更しながら設置することができ、通路の設置作業の作業性が向上する。
【００７３】
次に、本発明に係る通路の設置方法について図２１及び図２２を参照して説明する。図２１は同説明に供する側面説明図、図２２は同じく平面説明図である。
【００７４】
ここでは、前記第２実施形態の通路１００を設置する例で説明する。
【００７５】
踏み板部材を支持する支持部材１を地面に設置する工程と、踏み板部材を支持する支持部材１を第１方向Ｘに連結する工程と、設置された踏み板部材を支持する支持部材１上に踏み板部材２を取り付ける工程とを行う。
【００７６】
ここで、支持部材１を地面に設置するときには、例えば、地盤９０に杭７０を打ち込み、杭７０の上端部を第１支持部材１０、第２支持部材２０の各第１支持部１１、２１の側面に、ボルト・ナットなどの締結部材７１で固定する。杭７０としては、地盤によって、例えば、角杭や丸杭、鉄筋杭などを使用することができる。鉄筋杭を使用する場合には、締結部材７１としては、帯状の締め付け部材などを使用することができる。
【００７７】
一方、踏み板部材２には前述した第１保持手段６１の保持部材６１ａの一端部側を締結部材６５で固定する。
【００７８】
そして、第１保持手段６１の保持部材６１を支持部材１の凹部１３に対応させて踏み板部材２を支持部材１上に載せ置き、締結部材１７などで踏み板部材２を支持部材１に固定して取り付ける。
【００７９】
また、保持部材６１ａの他端部側のバンド金具６１ｂとバンド金具６１ｃとで手摺５の支柱５２の下端部を挟持して、支柱５２を踏み板部材２に固定する。
【００８０】
また、支持部材１の第１支持部材１０の第１支持部１１の保持部材６２ａと支柱５２のブラケット６２ｂとを締結部材６７で締結して、支柱５２を第１支持部１１に固定する。
【００８１】
このようにして、通路１００を地盤９０上に設置することができ、支持部材１の連結数を増加することで容易に通路１００の長さを変えることができ、通路１００の設置作業を容易に行うことができる。
【００８２】
上記各実施形態において、踏み板部材２、第１支持部材１０、第２支持部材２０、第３支持部材３０としては、再生プラスチックを使用している。再生プラスチックの場合、外殻は十分な強度、剛性を有しているが、内部は外殻よりも強度、剛性が低くなる。そのため、手摺の支柱を保持する保持部材を踏み板部材に固定する場合、予め第１支持部材１０、第２支持部材２０、第３支持部材３０に凹部を設けておくことで、後から凹部を切削する場合に比べて、強度、剛性が低下するおそれがなくなる。
【００８３】
なお、上記各実施形態においては、支持部材１が通路１００を構成する踏み板部材２を支持する例及び通路１００を設置する方法として説明したが、通路１００に代えて、階段や通路の踊り場を構成する場合にも同様に適用することができる。
【００８４】
つまり、支持部材１は踊り場の踏み板部材を支持する支持部材とすることができる。また、支持部材１を構成する第１支持部材１０、第２支持部材２０、第３支持部材１０を連結して踊り場を構成することができる。さらに、通路の設置方法法は、そのまま踊り場の設置方法として実施することができる。
【符号の説明】
【００８５】
１  支持部材
２  踏み板部材
５  手摺
１０  第１支持部材
１１  第１支持部
１２  第２支持部
２０  第２支持部材
２１  第１支持部
２２ａ、２２ｂ  連結部
３０  第３支持部材
３１  第１支持部
３２  第２支持部
３３  連結部
５２  支柱
６１  第１保持手段
６２  第２保持手段
１００  通路
【要約】      （修正有）【課題】通路や踊り場の設置作業の作業性を向上させる踏板を支持する支持部材を提供する。【解決手段】通路は、踏み板部材と、踏み板部材を支持する支持部材１を備え、支持部材１は、第１支持部材１０で構成され、第１支持部材１０は、第１方向Ｙに延びる第１支持部１１と、第１支持部１１と一体に設けられ、第１方向と交差する方向Ｘに延びる２つの第２支持部１２を有し、第１支持部１１には、踏み板部材を支持する支持面１０ａ側に少なくとも１つの凹部１３が設けられ、踏み板部材２を支持する面１０ａとは反対側の面側にも、少なくとも１つの凹部１４が設けられている。【選択図】図５【図１】
0006799119.tif 000002
【図２】
0006799119.tif 000003
【図３】
0006799119.tif 000004
【図４】
0006799119.tif 000005
【図５】
0006799119.tif 000006
【図６】
0006799119.tif 000007
【図７】
0006799119.tif 000008
【図８】
0006799119.tif 000009
【図９】
0006799119.tif 000010
【図１０】
0006799119.tif 000011
【図１１】
0006799119.tif 000012
【図１２】
0006799119.tif 000013
【図１３】
0006799119.tif 000014
【図１４】
0006799119.tif 000015
【図１５】
0006799119.tif 000016
【図１６】
0006799119.tif 000017
【図１７】
0006799119.tif 000018
【図１８】
0006799119.tif 000019
【図１９】
0006799119.tif 000020
【図２０】
0006799119.tif 000021
【図２１】
0006799119.tif 000022
【図２２】
0006799119.tif 000023